(57)【要約】      （修正有）【課題】ユーザがＵＳＢケーブルの接続中の作動モードとしてストレージモード及びプレーヤーモードのどちらかを選択するようになっているＤＡＰにおいて、選択操作を能率化するとともに、表示部の画面を一々見ないで、選択モードが認識できるようにする。【解決手段】ＤＡＰ１０の接続部は回転部１２を備え、回転部１２は、中心回転位置に対して左右へ回転自在に支持されている。中心回転位置に対して左右へ所定角度回転した回転位置はストレージモード及びプレーヤーモードに割当て、ユーザが回転位置から作動モードを分かるようにする。ユーザは、デバイス側コネクタ３２を回転部１２を装着するために、デバイス側コネクタ３２を把持して、装着するとともに、その際、デバイス側コネクタ３２を回転して、ストレージモード又はプレーヤーモードの回転位置にする。【選択図】図３
2009199677.tif 000002
【特許請求の範囲】
【請求項１】
外部機器へケーブルを介して接続可能にされ、ケーブル接続中の作動モードとして複数の作動モードから１つが選択可能になっているコンテンツ処理装置であって、
ケーブル端子を装着される被装着端子、
前記被装着端子を変位自在に支持する支持構造部材、
被装着端子位置を検出する検出器、及び
前記検出器の検出による被装着端子位置に基づき作動モードを選択する作動モード選択手段、
を備えることを特徴とするコンテンツ処理装置。
【請求項２】
ケーブル接続中に選択可能な複数の作動モードには、
前記外部機器から給電されつつ、前記外部機器に自機をストレージ機器として認識させるストレージモード、
前記外部機器から給電されつつ、前記外部機器から自立して自機のコンテンツを操作可能にするプレーヤーモードが含まれることを特徴とする請求項１記載のコンテンツ処理装置。
【請求項３】
各作動モードに対応する被装着端子位置は、前記被装着端子に前記ケーブル端子を着脱する着脱用被装着端子位置とは異なる位置に設定され、
前記被装着端子が作動モード対応位置にある場合は離脱方向への前記被装着端子から前記ケーブル端子の移動を阻止する阻止構造部材が設けられることを特徴とする請求項１又は２記載のコンテンツ処理装置。
【請求項４】
表示部、及び
前記ケーブル端子が前記被装着端子に装着されかつ前記被装着端子が作動モード対応位置以外の位置にある期間では、前記表示部への給電を停止する給電制御手段、
を備えることを特徴とする請求項１〜３のいずれかに記載のコンテンツ処理装置。
【請求項５】
外部機器へケーブルを介して接続可能にされ、ケーブル接続中の作動モードとして複数の作動モードから１つが選択可能になっているコンテンツ処理装置の制御方法であって、
変位自在に支持されてケーブル端子を装着される被装着端子の位置を検出する検出ステップ、及び
前記検出ステップにおいて検出した被装着端子位置に基づき作動モードを選択する作動モード選択ステップ、
を備えることを特徴とする制御方法。
【発明の詳細な説明】
【技術分野】
【０００１】
本発明は、ＵＳＢ（Universal Serial Bus）ケーブル等のケーブルが接続自在になっているコンテンツ処理装置及び制御方法に関する。
【背景技術】
【０００２】
特許文献１は、ＵＳＢコントローラを装備するオーディオ装置を開示する（特許文献１の図１）。該オーディオ装置は、ＵＳＢメモリを接続された時に選択可能な作動モードとして、該ＵＳＢメモリのオーディオファイルを再生するメモリ再生モードと、そのままディスク再生を維持するディスク再生モードとが用意され、ユーザはモード切替キーを操作することによりどちらかのモードを選択するようにしている（特許文献１の段落００２７）。
【０００３】
一般的なＤＡＰ（Digital Audio Player：デジタルオーディオプレーヤー）は、ＵＳＢケーブルを介してＰＣ（パーソナルコンピュータ）やＵＳＢタイプのＡＣアダプタ等へ接続可能になっているとともに、プレーヤーモードとストレージモードとを備えている。プレーヤーモードでは、ユーザは、ＤＡＰがその記憶装置に保有する楽曲をＤＡＰの操作部における操作により再生自在になっているのに対し、ストレージモードでは、ＤＡＰの保有楽曲は、ＰＣの操作により再生することができるものの、ＤＡＰの操作部における操作によっては再生できなくなる。
【０００４】
従来のＤＡＰでは、（ａ）ＤＡＰへのＵＳＢケーブルの接続及び切り離しに伴い、自動的にそれぞれストレージモード及びプレーヤーモードへ切替わったり、（ｂ）ＵＳＢケーブルがＤＡＰへ接続されるたびに、ユーザがＤＡＰの画面でストレージモード及びプレーヤーモードのいずれにするかをキー操作で選択したりしている。なお、一般的なＤＡＰでは、（ｂ）において、ユーザがキー操作を行わなかった場合には、モード未定状態になり、ＤＡＰの楽曲はＰＣからもＤＡＰからも操作して再生できなくなる。
【特許文献１】特開２００７−１７９６３４号公報
【発明の開示】
【発明が解決しようとする課題】
【０００５】
前述の（ａ）の場合には、ＵＳＢケーブルの接続時はストレージモードに固定されてしまい、ユーザの希望にもかかわらず、ＤＡＰをプレーヤーモードとして使用することができず、ユーザにとって不便である。前述の（ｂ）の場合には、ユーザは画面を見ながら、作動モードの選択を行わなければならず、能率が悪い。また、（ｂ）でユーザがモード選択のキー操作を行わなかったために、モード未定状態になってしまったものの、ユーザはそれに気付かないか、分からず、ＤＡＰが故障したと勘違いして、無駄な問合せや修理依頼の原因になり易い。
【０００６】
特許文献１のオーディオ装置における切替は、該オーディオ装置がデバイス側でなくホスト側となってＵＳＢメモリを接続された時の切替であるが、事前にモードを設定しておく必要があり（特許文献１の段落００３１）、ＵＳＢメモリを接続する時には、ユーザは現在、どのモードになっているかを忘れたり、記憶違いしたりし易い。さらに、該オーディオ装置では、モード切替キーを押下するごとにモード切替が行われるようになっており（特許文献１の段落００３１）、キーの位置自体からは現在のモードが判別できないので、モード切替時や現在、どのモードになっているかを知るために、画面を見なければならず、切替や確認の作業が非能率となる。
【０００７】
本発明の目的は、ケーブル接続時の作動モードのユーザ選択操作を能率化するとともに、選択中の作動モードを、一々画面を呼び出すことなく知ることができるようにしたコンテンツ処理装置及び制御方法を提供することである。
【課題を解決するための手段】
【０００８】
本発明によれば、コンテンツ処理装置において、ケーブル端子を装着される被装着端子を変位自在にして、被装着端子の所定の各位置に対してケーブル接続中の各作動モードを割り付ける。ユーザは、被装着端子に装着したケーブル端子を動かすことにより、該被装着端子を所望の作動モードに対応する位置へ動かして、作動モードを切替える。
【０００９】
本発明のコンテンツ処理装置は、外部機器へケーブルを介して接続可能にされ、ケーブル接続中の作動モードとして複数の作動モードから１つが選択可能になっている。該コンテンツ処理装置は次のものを備えている。
ケーブル端子を装着される被装着端子、
前記被装着端子を変位自在に支持する支持構造部材、
被装着端子位置を検出する検出器、及び
前記検出器の検出による被装着端子位置に基づき作動モードを選択する作動モード選択手段。
【００１０】
本発明の制御方法は、外部機器へケーブルを介して接続可能にされ、ケーブル接続中の作動モードとして複数の作動モードから１つが選択可能になっているコンテンツ処理装置の制御方法であって、次のステップを備えている。
変位自在に支持されてケーブル端子を装着される被装着端子の位置を検出する検出ステップ、及び
前記検出ステップにおいて検出した被装着端子位置に基づき作動モードを選択する作動モード選択ステップ。
【発明の効果】
【００１１】
本発明によれば、ケーブル端子を装着される被装着端子を変位自在にして、被装着端子の所定の各位置に対してケーブル接続中の各作動モードを割り付ける。これにより、ユーザは、ケーブル端子を被装着端子に装着する際に、作動モードを選択できるので、選択操作が能率的となる。また、ユーザは、画面を見ることなく、選択中の作動モードを認識することができる。
【発明を実施するための最良の形態】
【００１２】
図１はＤＡＰ１０の概略ブロック図である。接続部１１は、ＵＳＢの規格に準拠しており、回転部１２を備えている。回転部１２は、デバイス側コネクタ３２（図３）を着脱自在に装着され、装着中のデバイス側コネクタ３２と一体回転するようになっている。接続部１１の端子は電源供給部１３とデータ入出力部１４とに分かれ、電源供給部１３は本体素子部１８の各素子へ電力を供給する。ＤＡＰ１０は、充電池（図示せず）を備え、電源供給部１３からの電力は該充電池の充電にも使用される。
【００１３】
本体素子部１８は、システムマイコン１９、表示部２０、操作部２１、記憶部２２、ＤＳＰ（Digital Signal Processor）２３、ＤＡＣ（Digital Analog Converter：デジタル／アナログ変換器）２４及び増幅部２５を備えている。表示部２０及び操作部２１は、ＤＡＰ１０の正面パネルに配備され（図３）、システムマイコン１９は、表示部２０における表示内容に係る信号をＤＡＰ１０へ出力するとともに、操作部２１から操作部２１におけるユーザ操作に係る信号を受ける。
【００１４】
記憶部２２は、フラッシュメモリやハードディスク装置等の不揮発性メモリから成り、楽曲データに係るオーディオファイルをＭＰ３等の圧縮形式で記録している。記憶部２２は、ストレージモードでは、データ入出力部１４との間でデータを送受し、プレーヤーモードでは、システムマイコン１９から指定された楽曲ファイルのデータをＤＳＰ２３へ送る。
【００１５】
ＤＳＰ２３は、エンコーダ及びデコーダの機能を有し、記憶部２２から入力された圧縮形式のオーディオデータをデコードして、ＤＡＣ２４へ供給する。ＤＡＣ２４は、これをデジタル形式からアナログ形式のオーディオ信号へ変換し、増幅部２５へ供給する。増幅部２５は、ユーザ指示の音量に対応する利得でＤＡＣ２４からのオーディオ信号を増幅して、出力部２９へ供給する、出力部２９には、イヤホン（図示せず）の端子が接続され、出力部２９からのオーディオ信号は該イヤホンより音として出力される。
【００１６】
図２はＤＡＰ１０がＰＣ７０へＵＳＢケーブル３０により接続された状態を示している。ＵＳＢケーブル３０によるＤＡＰ１０−ＰＣ７０間の接続では、ＤＡＰ１０及びＰＣ７０がそれぞれデバイス側及びホスト側になる。ＵＳＢケーブル３０は、ＤＡＰ１０−ＰＣ７０間のデータ伝送路となるとともに、ＰＣ７０からＤＡＰ１０への電力供給路となる。
【００１７】
図３はＤＡＰ１０へのＵＳＢケーブル３０の接続及び回転を示している。ＤＡＰ１０は、ＵＳＢケーブル３０の接続中に選択できる作動モードとしてストレージモード及びプレーヤーモードを備えている。ＵＳＢケーブル３０は、コード部３１と、コード部３１の両端部のホスト側端子部（図示せず）及びデバイス側コネクタ３２とを備えている。デバイス側コネクタ３２は、回転部１２（図１）に装着され、装着中は回転部１２と一体回転する。
【００１８】
デバイス側コネクタ３２は、図３では回転中心位置にあり、装着している回転部１２と共に中心回転位置に対して左右へ所定角度ずつ回転するようになっている。中心回転位置に対して左右へそれぞれ所定角度回転した回転位置は、ＤＡＰ１０におけるストレージモード及びプレーヤーモードの一方及び他方を割り付けられる。ストレージモードでは、ＤＡＰ１０の保有楽曲の再生音をＰＣ７０におけるユーザ操作によりＰＣ７０において出力することができる。プレーヤーモードでは、ＤＡＰ１０の保有楽曲の再生音を操作部２１におけるユーザ操作により出力部２９から出力することができる。
【００１９】
ＤＡＰ１０の充電池は、ＵＳＢケーブル３０によるＤＡＰ１０−ＰＣ７０間の接続中はストレージモード期間及びプレーヤーモード期間共に、ＰＣ７０からＵＳＢケーブル３０の給電線を介して供給される電流により充電される。
【００２０】
デバイス側コネクタ３２は、矩形の横断面形状を備え、中心回転位置では、横位置（デバイス側コネクタ３２の厚さ方向がＤＡＰ１０の厚さ方向に揃う回転位置。図３に図示の位置は横位置。）になっているのに対し、中心回転位置に対して左又は右へ所定角度回転した回転位置では、縦位置（デバイス側コネクタ３２の幅方向がＤＡＰ１０の厚さ方向へ揃う回転位置。）になる。ユーザが、回転部１２へのデバイス側コネクタ３２の装着期間において、回転部１２が中心回転位置に対する左右のどちらの回転位置になっているかを明確に視認できるようにするため、デバイス側コネクタ３２の周方向所定箇所にマークを記入したり、マークとなる突起や凹部等の特徴的な形状を施したりすることができる。
【００２１】
なお、ユーザは、デバイス側コネクタ３２の回転操作による作動モードの切替を、デバイス側コネクタ３２を回転部１２に装着開始する時だけでなく、装着中の任意の時点においても適宜行うことができる。
【００２２】
図４は接続部１１へＵＳＢケーブル３０ｂのデバイス側コネクタ３２ｂを着脱する回転位置を制限する構造図の一例である。図３の構造では、ＵＳＢケーブル３０は任意の回転位置において接続部１１に着脱自在であるが、図４の構造では、ＵＳＢケーブル３０ｂは、中心回転位置においてのみ着脱可とされ、その他の回転位置では着脱不可となる。ＵＳＢケーブル３０ｂの部位の内、ＵＳＢケーブル３０（図３）の部位と対応する部位にはＵＳＢケーブル３０の部位に付した符号に添え字"ｂ"を付す。
【００２３】
デバイス側コネクタ３２ｂは、先端から順番にデバイス側端子３５、矩形板部３６、円形ボス部３７及び矩形横断面の把持部３８を有している。これに対して、ＤＡＰ１０ｂにおいて、透孔４５がＤＡＰ１０の起立時に下側となる下側ハウジング部４２に形成されている。透孔４５は、円形部４６と、円形部４６を中心とするとともに円形部４６を貫いて下側ハウジング部４２の左右方向へ延びる矩形部４７とを有している。矩形部４７は、矩形板部３６の矩形輪郭と同一寸法の矩形輪郭にされ、矩形板部３６は、その長辺及び短辺を矩形部４７のそれらに揃えた状態で、矩形部４７を通過自在になっている。当然のことであるが、矩形部４７の短辺の寸法は、矩形板部３６の長辺の寸法より小さくされている。
【００２４】
図５は回転部１２ｂへのデバイス側コネクタ３２ｂの装着についての構造図である。回転部１２ｂは、下側ハウジング部４２の内面側に配設され、ケース部５０とケース部５０内の雄端子５１とを有している。図５（ａ）及び（ｂ）はそれぞれデバイス側端子３５が雄端子５１に装着される前及び装着された後の状態を示している。図５では、回転部１２及びデバイス側コネクタ３２ｂは中心回転位置にあり、デバイス側端子３５及び雄端子５１は、それらの対応輪郭を揃えられて、矩形部４７を間に挟み、相互に対峙している。回転部１２ｂは、回転方向の外力無しの状態において中心回転位置に保持されるような付勢力を図示しないばねから受けている。
【００２５】
ＤＡＰ１０ｂのユーザは、デバイス側端子３５を雄端子５１へ装着する際は、矩形板部３６と矩形部４７とがそれらの矩形輪郭同士を揃えてから、矩形板部３６を矩形部４７から下側ハウジング部４２の内面側へ押込んで、デバイス側端子３５を雄端子５１の周部へ嵌着させる。雄端子５１へのデバイス側端子３５の嵌着後は、円形ボス部３７が円形部４６への嵌挿状態になる。ユーザは、この後、把持部３８を把持しつつ、ストレージモード又はプレーヤーモードに対応する回転方向へ、把持部３８が所定角度回転するまで、把持部３８を回す。これにより、円形ボス部３７は、円形部４６を摺動しつつ、回転する。把持部３８が回転方向へ横位置からから少しでもずれると、矩形板部３６と矩形部４７との輪郭同士は回転方向へずれるので、デバイス側コネクタ３２ｂを引き抜こうとしても、矩形板部３６が下側ハウジング部４２の内面側に当接し、雄端子５１からのデバイス側端子３５の抜けが阻止される。
【００２６】
ユーザは、デバイス側端子３５を雄端子５１から外す場合は、把持部３８を縦位置から横位置へ回転させて、矩形板部３６と矩形部４７との輪郭同士を揃えてから、把持部３８を引く。これにより、矩形板部３６は矩形部４７を下側ハウジング部４２の外面側へ通過し、デバイス側端子３５が雄端子５１から引き抜かれる。
【００２７】
図６は回転部１２の回転を円滑化させるＰＣＢ（Print Circuit Board：プリント配線基板）５３の構造図である。ＰＣＢ５３は本体部分５４と分離部分５５とに分割される。分離部分５５は、その上に回転部１２の要素としてのケース部５０を組付けられており、分離部分５５は、ケース部５０を組み付けるのに必要な大きさを確保されつつ、できるだけ小さい寸法となっている。ケース部５０内の雄端子５１はワイヤハーネス５６を介して本体部分５４上の配線へ接続される。本体部分５４は、ＤＡＰ１０内の所定の部材に固定されるのに対し、分離部分５５は、ユーザによるデバイス側コネクタ３２，３２ｂの回転の際に回転部１２と一体に回転する。しかしながら、分離部分５５の回転は、ワイヤハーネス５６のねじりにより吸収され、本体部分５４への伝達は阻止される。
【００２８】
図７は回転部１２をストレージモード及びプレーヤーモードの各作動モードの回転位置で所定の係止力で係止するようにした構造図の一例である。なお図７から図９において説明する構造以外の構造もとりうることができ、例えばロータリーエンコーダなども適用することができる。回転部１２，１２ｂは背面側において円形回転板６０に固定される。円形回転板６０は、図示していない支持部により中心軸線の周りに回転自在に支持されるとともに、周辺部の所定の２箇所に半円状の切欠き６１ａ，６１ｂを、また、切欠き６１ａ，６１ｂとは周方向へほぼ１８０°離れた箇所にストッパ６２をそれぞれ有している。
【００２９】
図８は円形回転板６０とその回転位置の検出及び係止を行なう要素とを含む範囲の構造図である。リミットスイッチ６４ａ，６４ｂは、本体部分５４（図６）等に固定されている支持板６８ａ，６８ｂに固設され、中心回転位置の円形回転板６０に対してその左右側方に位置する。リミットスイッチ６４ａ，６４ｂは、突出量を変更自在とする突出棒６５ａ，６５ｂを有し、突出棒６５ａ，６５ｂは、その突出方向へ所定の付勢力をばね（図示せず）から及ぼされて、先端部で円形回転板６０の周部を押圧している。リミットスイッチ６４ａ，６４ｂは、突出棒６５ａ，６５ｂの突出量が所定値以上及び未満である場合に、それぞれオン、オフとなる。
【００３０】
図９は円形回転板６０を向かって右側のリミットスイッチ６４ｂの方へ中心回転位置から回転させた時のリミットスイッチ６４ａ，６４ｂと円形回転板６０との位置関係を示している。リミットスイッチ６４ｂの突出棒６５ｂは付勢力に従い切欠き６１ｂ内へ嵌入し、リミットスイッチ６４ｂはオフからオンへ切替わる。また、ストッパ６２は、支持板６８ａの下面に当接して、円形回転板６０のそれ以上の右回転を阻止する。円形回転板６０が中心回転位置から図９の場合とは反対方向へ回転した場合には、リミットスイッチ６４ａの突出棒６５ａは付勢力に従い切欠き６１ａ内へ嵌入し、リミットスイッチ６４ａはオフからオンへ切替わる。また、ストッパ６２は、支持板６８ｂの下面に当接して、円形回転板６０のそれ以上の左回転を阻止する。
【００３１】
こうして、リミットスイッチ６４ａ，６４ｂの出力に基づきユーザが選択した作動モードがストレージモード及びプレーヤーモードのどちらであるかを検出することができる。突出棒６５ａ，６５ｂがそれぞれ切欠き６１ａ，６１ｂに嵌入している場合には、その嵌入に伴う回転方向係止力が、円形回転板６０を中心回転位置の方へ戻す回転を阻止する。しかしながら、円形回転板６０を中心回転位置の方へ戻す回転力が所定値を上回ると、半円状の切欠き６１ａ，６１ｂから突出棒６５ａ，６５ｂの半球状先端部への回転力が回転係止力を上回り、これにより、突出棒６５ａ，６５ｂは切欠き６１ａ，６１ｂから退出して、円形回転板６０は中心回転位置の方へ回転する。また、これにより、リミットスイッチ６４ａ，６４ｂはオンからオフへ切替わる。
【００３２】
本発明と実施例のＤＡＰ１０，１０ｂとの関係について説明する。本発明のコンテンツ処理装置を説明の便宜上、「当該コンテンツ処理装置」と呼ぶことにする。当該コンテンツ処理装置は、外部機器へケーブルを介して接続可能にされ、ケーブル接続時の作動モードとして複数の作動モードから１つが選択可能になっている。当該コンテンツ処理装置の具体例はＤＡＰ１０，１０ｂ等のオーディオ再生装置であるが、当該コンテンツ処理装置は、オーディオとビデオとの両方を再生する装置や、ビデオ専用の再生装置であってもよい。当該コンテンツ処理装置は、携帯式に限定されず、据置き式であってもよい。当該コンテンツ処理装置は、携帯電話機等の他の情報処理装置に装備されるものであってもよい。
【００３３】
外部機器の具体例はＰＣ７０であるが、外部機器は当該コンテンツ処理装置とは別のＡＶ（Audio Visual）装置や、ＵＳＢタイプのＡＣアダプタ（充電専用器）であってもよい。ケーブルの具体例はＵＳＢケーブル３０であるが、ケーブルは、データを伝送するその他の規格のケーブルであってもよい。
【００３４】
当該コンテンツ処理装置は、被装着端子、支持構造部材、検出器及び作動モード選択手段を備えている。被装着端子はケーブル端子を装着される。支持構造部材は、被装着端子を変位自在に支持する。検出器は被装着端子位置を検出する。作動モード選択手段は、検出器の検出による被装着端子位置に基づき作動モードを選択する。
【００３５】
被装着端子の具体例は回転部１２，１２ｂである。支持構造部材の具体例は、円形回転板６０をその中心軸線の周りに回転自在に支持する構造（図示せず）である。支持構造部材が被装着端子を支持する被装着端子の変位方向は、回転方向に限定されず、直線方向、曲線方向又は屈曲線方向であってもよい。検出器の具体例はリミットスイッチ６４ａ，６４ｂである。作動モード選択手段は、例えばシステムマイコン１９において実行するソフトウェアにより実現される。
【００３６】
当該コンテンツ処理装置によれば、ユーザがケーブル端子を被装着端子へ装着して、被装着端子位置を切替えることにより作動モードを選択することができるので、すなわちユーザは、ケーブル端子を装着のため把持したまま、被装着端子への装着と被装着端子の変位操作による作動モードの切替とを一緒に行うことができるので、作動モード選択操作が能率的となる。また、ユーザは、一々画面を見ずに被装着端子位置、すなわちケーブル端子位置を見るだけで、選択中の作動モードを知ることができる。
【００３７】
作動モードとは、例えば外部機器から給電だけを確保する充電専用モード、外部機器に自機をストレージ機器として認識させるストレージモード、及び／又は外部機器から自立して自機のコンテンツを再生可能にするプレーヤーモードである。なお、典型的には、当該コンテンツ処理装置へのＵＳＢケーブルを接続している期間のストレージモード及びプレーヤーモード期間では、同時に外部機器からコンテンツ処理装置の充電池への充電もＵＳＢケーブルを介して行われるようになっている。また、充電専用モードとストレージモードとについては同一の被装着端子位置を割付け、該同一の被装着端子位置に対し、外部機器がＰＣのようなホストである場合には、ストレージモードとなり、外部機器がＵＳＢタイプのアダプタである場合には、充電専用モードとなるようにすることもできる。
【００３８】
好ましくは、各作動モードに対応する被装着端子位置は、被装着端子にケーブル端子を着脱する着脱用被装着端子位置とは異なる位置に設定される。そして、被装着端子が作動モード対応位置にある場合は離脱方向への被装着端子からケーブル端子の移動を阻止する阻止構造部材が設けられる。阻止構造部材の具体例は、前述のＤＡＰ１０ｂでは、透孔４５を有する下側ハウジング部４２である。ＤＡＰ１０では、ケーブル端子の着脱用被装着端子位置は前述の中心回転位置となっている。こうして、プレーヤーモードやストレージモードでのデータ伝送中やコンテンツ再生中に、ケーブルが当該コンテンツ処理装置から不用意に外れることが防止される。
【００３９】
当該コンテンツ処理装置は、さらに、表示部及び給電制御手段を備えることができる。表示部の具体例は表示部２０である。給電制御手段は、例えばシステムマイコン１９において実行するソフトウェアにより実現される。給電制御手段は、ケーブル端子が被装着端子に装着されかつ被装着端子が作動モード対応位置以外の位置にある期間では、表示部への給電を停止する。これにより、充電池の電力減少量を抑制することができる。
【００４０】
図１０はコンテンツ処理装置制御方法７５のフローチャートである。コンテンツ処理装置制御方法７５は、当該コンテンツ処理装置に適用されるものであり、Ｓ７６．Ｓ７７を備えている。Ｓ７６では、変位自在に支持されてケーブル端子を装着される被装着端子の位置を検出する。Ｓ７７では、Ｓ７６において検出した被装着端子位置に基づき作動モードを選択する。
【００４１】
Ｓ７６，Ｓ７７は、当該コンテンツ処理装置における検出器及び作動モード選択手段に対応するので、検出器及び作動モード選択手段の機能に適用した具体的機能はＳ７７，Ｓ７８の処理の具体的態様としても適用可能である。
【００４２】
コンテンツ処理装置制御方法７５には、当該コンテンツ処理装置における給電制御手段に対応するステップを追加することもできる。該ステップは、ケーブル端子が被装着端子に装着されかつ被装着端子が作動モード対応位置以外の位置にある期間でであるか否かを判定する判定ステップと、該判定ステップにおける判定が正であれば、表示部への給電を停止する給電制御ステップとを備える。
【００４３】
本明細書は様々な発明を開示している。それら発明は、発明の最良の形態の項で説明した装置及び方法だけでなく、当業者の自明の範囲内で、それら装置及び方法から独立の作用、効果を奏する１つ又は複数の要素を抽出したものや、１つ又は複数の要素を自明の範囲で変更したものを含む。
【図面の簡単な説明】
【００４４】
【図１】ＤＡＰの概略ブロック図である。
【図２】ＤＡＰがＰＣへＵＳＢケーブルにより接続された状態を示す図である。
【図３】ＤＡＰへのＵＳＢケーブルの接続及び回転を示す図である。
【図４】接続部へＵＳＢケーブルのデバイス側コネクタを着脱する回転位置を制限する構造図である。
【図５】回転部へのデバイス側コネクタの装着についての構造図である。
【００４５】
【図６】回転部の回転を円滑化させるＰＣＢの構造図である。
【図７】回転部をストレージモード及びプレーヤーモードの各作動モードの回転位置で所定の係止力で係止するようにした構造図である。
【図８】円形回転板とその回転位置の検出及び係止を行なう要素とを含む範囲の構造図である。
【図９】円形回転板を向かって右側のリミットスイッチの方へ中心回転位置から回転させた時のリミットスイッチと円形回転板との位置関係を示す図である。
【図１０】コンテンツ処理装置制御方法のフローチャートである。
【符号の説明】
【００４６】
１０：ＤＡＰ（コンテンツ処理装置）、１２：回転部（被装着端子）、２０：表示部、３０：ＵＳＢケーブル（ケーブル）、３５：デバイス側端子（ケーブル端子）、４５：透孔（阻止構造部材）、６４：リミットスイッチ（検出器）、７５：コンテンツ処理装置制御方法。
【図１】
2009199677.tif 000003
【図２】
2009199677.tif 000004
【図３】
2009199677.tif 000005
【図４】
2009199677.tif 000006
【図５】
2009199677.tif 000007
【図６】
2009199677.tif 000008
【図７】
2009199677.tif 000009
【図８】
2009199677.tif 000010
【図９】
2009199677.tif 000011
【図１０】
2009199677.tif 000012